(57)【要約】上面（１４）、下面（１６）及び複数の辺面を有するシート又は厚板の形状の透明な基板（１２）を含む照明型表示器。辺面は内部へ反射性の処理（１８）が施され、かつ少なくとも一の光源（２０）が基板と一体にされ、光線の比較的細いビームが前記基板内に発するようにする。基板内で、前記光源（２０）からの光線（２６）を操作可能に、内部へ反射するように、好ましくは上面又は下面のいずれかに対して垂直に前記基板（１２）の内部に配置された、少なくとも一の反射性表面（２２）。上面（１４）又は下面（１６）のいずれか（又は両方）であって、基板の内部から面（１４，１６）へ光を捕捉する又は導くための、それと接する材料（１７）を有する面。表示器は液晶表示器（ＬＣＤ）組立品と一体となって採用されてもよい。
2004534352.tif 000002
【特許請求の範囲】
【請求項１】
上面、下面及び複数の辺面を有するシート又は厚板状の透明基板；
内部へ反射する処理を施された複数の辺面；
基板と一体となり、前記基板に比較的細い光線のビームを発する少なくとも一の光源；
基板内の前記少なくとも一の光源から発する光線を操作可能に、内部へ反射するように前記基板内に配置された少なくとも一の反射性表面；及び
上面及び下面の少なくとも一つであって、内部に反射された光を基板の外に導くための、それに接する光捕捉材料を有する面；を含む照明型表示器。
【請求項２】
反射性の表面が基板の上面又は下面のいずれかに垂直である請求項１記載の照明型表示器。
【請求項３】
反射性の表面が、前記少なくとも一の光源からの光線を操作可能に、内部へ反射するように配置された一の空隙により形成されている請求項１又は２記載の照明型表示器。
【請求項４】
比較的細い光のビームが、前記複数の辺面の一以上に導かれる請求項１〜３のいずれか１項に記載の照明型表示器。
【請求項５】
上面又は下面のいずれかに入射する任意の光線が、面が光捕捉性材料に接しているところ以外で実質的に内部へ反射されるように、ビームが十分に細い請求項１〜４のいずれか１項に記載の照明型表示器。
【請求項６】
基板が平行な上面及び下面を有する請求項１〜５のいずれか１項に記載の照明型表示器。
【請求項７】
光を基板の内部から基板の上面へと導くために、白色材料が基板の下面全体に接している請求項１〜６のいずれか１項に記載の照明型表示器。
【請求項８】
所定の構成の光を基板の上面へと導くために、白色材料が下面の選択された部分に接触している請求項１〜６のいずれか１項に記載の照明型表示器。
【請求項９】
所定の構成が標識を形成する請求項８記載の照明型表示器。
【請求項１０】
前記少なくとも一の光源から操作可能に発する光線を、ある範囲の角度にわたって反射するために、前記基板内の異なる場所に複数の空隙が置かれている請求項１〜６のいずれか１項に記載の照明型表示器。
【請求項１１】
透明な物質がアクリル、ガラス及びポリエチレンを含む、澄んだ材料から選択される請求項１〜１０のいずれか１項に記載の照明型表示器。
【請求項１２】
透明な基板の一面が分散性材料で処理されている請求項１〜１０のいずれか１項に記載の照明型表示器。
【請求項１３】
分散性材料が、光が透明の基板からそこを通って伝送されることを可能にする半透明のフィルムである請求項１２記載の照明型表示器。
【請求項１４】
分散性材料が、微細溝被覆である請求項１２記載の照明型表示器。
【請求項１５】
光源が発光ダイオードである請求項１〜１４のいずれか１項に記載の照明型表示器。
【請求項１６】
光源がレーザダイオードである請求項１〜１４のいずれか１項に記載の照明型表示器。
【請求項１７】
光源が光ファイバーを含む請求項１〜１４のいずれか１項に記載の照明型表示器。
【請求項１８】
反射性表面が実質的に平坦である請求項１〜１７のいずれか１項に記載の照明型表示器。
【請求項１９】
反射性表面が曲線を有する請求項１〜１７のいずれか１項に記載の照明型表示器。
【請求項２０】
反射性表面がパラボラ状に形成されている請求項１〜１７のいずれか１項に記載の照明型表示器。
【請求項２１】
反射性表面が相互に当接して、Ｖ断面を形成するように配置されている請求項１８〜２０のいずれか１項に記載の照明型表示器。
【請求項２２】
表示器の外部の一点から光源本体が見えないように、光源が反射性材料で部分的に被覆されている請求項１〜２１のいずれか１項に記載の照明型表示器。
【請求項２３】
液晶表示器（ＬＣＤ）組立品と一体となった請求項１〜２２のいずれか１項に記載の照明型表示器。
【請求項２４】
実質的に基板の全下面が、基板の内部から基板の上表面に光を導くための白色材料と接触し、その上面がＬＤＣ組立品と一体である請求項２３記載の結合体。
【請求項２５】
鑑賞面を有する透明な基板；
前記基板内に置かれ光線の比較的細いビームを産生する少なくとも一の光源；
前記少なくとも一の光源からの光線を操作可能に、内部へ反射するように、鑑賞面に沿って配置された少なくとも一の反射性表面；及び
基板の少なくとも一の面であって、内部へ反射された基板内からの光を、基板の選択された部分を照明するように導くために接している材料を有する面；
を含む照明型表示器。
【請求項２６】
基板がシート又は厚板に形成されている請求項２５記載の照明型表示器。
【請求項２７】
基板が平行な主鑑賞面を含む請求項２５又は２６記載の照明型表示器。
【請求項２８】
前記少なくとも一の反射表面が主鑑賞面に垂直である請求項２５〜２７のいずれか１項に記載の照明型表示器。
【請求項２９】
基板が不定形である請求項２５記載の照明型表示器。
【請求項３０】
前記少なくとも一の反射性表面が空隙を含む請求項２５〜２８のいずれか１項に記載の照明型表示器。
【発明の詳細な説明】
【技術分野】
【０００１】
本発明は、照明型表示装置に関する。本発明は、液晶表示装置（ＬＣＤ）を背面点灯する手段としての特別の、しかし限定的ではない、用途を見いだしている。
【背景技術】
【０００２】
背面照明型のフラットパネルは、通常、パネルの一辺の長さに沿って置かれた、光バッテンあるいは直管型蛍光灯が設置された一辺を組み込んでいる。直線の光源を用いる上記の型の先行技術の配列は、例えば、エイケンズ（Aikens）の米国特許Ｎｏ．５，２１９，２１７及び松下電気産業（株）の欧州特許公報Ｎｏ．８７９９９１に開示されている。
【０００３】
このような照明されたパネルは、パネルに隣接した、又はパネル内部に用意された反射性表面の使用により特徴付けられる。これらの表面は、直線の光源からの光を反射して、パネルの主表面を通り抜けて観者へと出て行くように配置されている。典型的な反射性表面は、光源から散乱された光の反射を最大化するように、直線の光源と主パネル表面の両方に平行な一本の軸を持って配置されている。けれども、従来技術のこのような照明配列は、観者の視界線の中に溝が置かれるので、例えば欧州特許公報Ｎｏ．８７９９９１におけるように、組立品に更にフレネルレンズ(Fresnel lens)のような拡散性の段階を追加しなければならないという不都合がある。
【０００４】
背面照明型フラットパネルは、ラップトップコンピュータ、携帯型テレビ、ビデオカメラの覗き窓、及び類似の装置といった用途がある、背面点灯型ＬＣＤ表示部に関して特に用途を見いだしている。このような装置は、通常電池で電力が供給されており、それ故、表示部が消費する電力が最小であることが特に重要である。
【０００５】
電力消費を最小にするために、従来技術のデザインはそのデザインにフレネルレンズを組み込んでおり、それによって表示部の可視性をスクリーンに対して垂直の位置から最高になるようにしている。けれども、この手法の重大な問題は、スクリーンを垂直からはずれた位置から見たときに、可視性は決定的に低下する可能性があることである。
【０００６】
発明の概要
発明の目的
本発明の一の目的は、従来技術で既知の背面照明型フラットパネルの代替品であり、かつ比較的低消費電力の背面照明型フラットパネルを提供することである。
【０００７】
本発明の更なる目的は、既に提示した問題点を低減する背面点灯した液晶表示器組立品を提供することである。
【発明の開示】
【０００８】
本発明の一形態によれば、
上面、下面及び複数の辺面を有するシート又は厚板状の透明基板；
内部へ反射する処理を施された複数の辺面；
基板と一体となり、基板に比較的細い光線のビームを発する、少なくとも一の光源、
基板内の前記少なくとも一の光源からの光線を操作可能に、内部へ反射するように、前記基板内に配置された少なくとも一の反射性表面；及び
上面及び下面の少なくとも一つであって、内部に反射された光を基板の外に導くための、それに接する光捕捉材料を有する面；を含む照明型表示器が提供される。
【０００９】
反射性表面は、シートの上面及び下面に沿って延びているのが好ましい。反射性表面は、前記基板の少なくとも一の上面及び下面に対して垂直であるのが最も好ましい。
【００１０】
反射性表面は、前記少なくとも一の光源からの光線を操作可能に内部へ反射するように配列された空隙により形成されているのが好ましい。
【００１１】
光の比較的細いビームは、前記複数の辺面の一以上に導かれるのが適切である。ビームは、上面又は下面に入射した任意の光線が、前記面が光を捕捉あるいは導く材料に接触していなければ、実質的に内部に反射されるように十分に細いことが望ましい。
【００１２】
基板は、必要に応じて、平行な上面と下面を有することができる。
【００１３】
一つの形状では、白色物質は、光を基板の内部から基板の上面に向けて導くために、基板の下面全体に接触している。
【００１４】
別の形状では、白色物質は、光を予め定められた配置で基板の上面に向けて導くために、下面の選択された箇所に接触している。予め定められた配置は標識を形成することが適切である。
【００１５】
本発明の更なる実施例では、前記少なくとも一の光源から操作可能に発している光線を、ある範囲の角度にわたって反射する様に、前記異なる位置に設置されたパネル中に複数の空隙が含まれる。
【００１６】
透明基板は、澄んだアクリル、ガラス又はポリエチレンの任意の一つでよい。他の材料も適切であろう。
【００１７】
透明な基板の一表面は分散性材料で処理されていることが好ましい。
【００１８】
分散性材料としては、光が基板からその中を伝送可能で、しかし基板の内部構造を覆い隠す、半透明のフィルムが可能である。
【００１９】
光源としては、発光ダイオード又はレーザダイオードが可能である。好ましい光源は、窒化ガリウム超高輝度発光ダイオードである。これに代わる光の源は光ファイバーである。
【００２０】
空隙は、基板の辺に切り込みを入れることで作成可能であり、又は、空隙は、例えば成形により予め作成可能である。
【００２１】
反射性表面は、平らでよく、この代わりに曲線状もしくはパラボラ状に形作られてもよい。表面は、相互に当接してＶ断面を形成するように配置可能である。
【００２２】
光源は、表示器の外の点から光源本体が見えないように、反射性材料で一部覆われていてもよい。
【００２３】
本発明の更なる形態によれば、液晶表示器組立品と一体化した照明型パネルを提供する。
【００２４】
実質的に基板の全下面は、基板の中から上面がＬＣＤ組立品と一体となっている基板の上面に向けて光を導くための白色材料と接していることが適切である。
【００２５】
上記結合体は、コンピュータ、テレビジョン、ビデオカメラ等の器具に組み込むことができる。
【００２６】
本発明のもう一つの更なる形態によれば、
鑑賞面を有する透明基板；
前記基板内に置かれた、比較的狭いビームの光線を生成する少なくとも一の光源;
前記少なくとも一の光源からの光線を操作可能に内部へ反射するように鑑賞面に対し垂直に配置された少なくとも一の反射性表面；及び
内部へ反射された光を、基板内部から、基板の選択された部分を照明するように導くために、基板面と接触している材料を有する少なくとも一の基板面；を含む照明型表示器が提供される。
【００２７】
基板は、シート又は厚板に成形されているのが適切であり、平行な主鑑賞面を伴うことが好ましい。あるいは、基板は不定形であってよい。
【００２８】
前記少なくとも一の反射性表面は空隙を備えることが最も好ましい。
【発明を実施するための最良の形態】
【００２９】
先ず図１Ａ及び１Ｂを参照して、本発明の一実施例による表示装置１０が描かれている。この表示装置は、光学的に透明な材料の単一の厚板又はシート１２で形成された基板を含む。空気より屈折率の大きい、しっかりとした、光学的に透明な任意の材料が適当である。例えば、澄んだアクリル、ガラス及びポリエチレンは全て適当である。四角形として示されているが、基板は望まれる任意の形に形成できるであろう。図示の通り、シート１２は平行な上面１４及び下面１６を有する。描かれた例においては、４つの辺面１５があり、その各々は内部へ反射する鏡面被覆１８が施されている。
【００３０】
背面光源として使用するため、シート１２の下面１６は、白色材料１７と、その材料とシートの下面との間に空隙が無いように、接触している。白色材料１７は、シート１２内の光源からの光を捕捉して、その光をシート１２の上面１４に向けて前方に反射するように作動する。下面に接触している材料１７は、シート１２の下面１６からの内部反射を実質的に減少させる。白色材料１７はシート１２の下面の全体を覆う必要はない。標識として単語「出口」のような可視模様（図７Ａ参照）を産出するためには不連続であってよい。
【００３１】
シート１２の上面１４は、基板の内部構造を隠すように、半透明のシート又は拡散格子での被覆等、分散性材料で処理されていてよい。
【００３２】
光源２０は、基板内で光線の比較的細いビームが発するように、シート１２の空洞に内蔵されている。適切な光源としては例えばＬＥＤがある。これらは分散が８度前後に過ぎないビームを産生し、かつ輝度の直接制御が容易だからである。輝度制御は、暗い部屋から太陽光まで変わる環境中での本発明の使用を可能にする。レーザダイオードのような他の光源も使用可能である。光ファイバーも採用できる。
【００３３】
ここに説明した好ましい実施例において、光源は窒化ガリウム超高輝度発光ダイオード（ＧａＮ  ＬＥＤ）から成る。ＧａＮ  ＬＥＤは、一般的に、明るい、かつ細いビームに集結された光を生じる。これまで、このような光源を背面点灯の目的に使用するのは困難であった。
【００３４】
光源２０に隣接する辺面から始まる、多数の直線的な空隙２２Ａ、２２Ｂ、２２Ｃがシート１２に作られている。空隙は、シート１２の主面１４及び１６沿って延びる反射性表面を提供する。隙間が空気で満たされているのが圧倒的に便利だが、シート１２より屈折率が低い物質で各隙間を満たすこともできる。各空隙の平面は、上面１４及び下面１６の両方に直角である。各空隙の面の法線は、光源２０からの光線との臨界角より小さい角度を作る。
【００３５】
空隙の方向は、反射されたときに、シート１２の上面及び下面に対する光線の角度を変えずに、光源からの光線がパネルの内側で部分的に反射するように配置される。各空隙の辺は、好ましくは光源２０からの入射ビームに対して約１２０度の角度を作って、平ら又は丸くなっており、かつ研磨されている。更に後に説明するように、空隙は、シート１２の上又は下面から見て、浅いパラボラ又は半球形の壁を有してもよい。浅いパラボラ形が好ましい。パラボラ形が用いられる場合には、各パラボラ形の焦点は光源２０である。
【００３６】
図１Ａ及び１Ｂに示した実施例において、各空隙は、光源に最も近い隣の空隙より、シート１２内に突き出していることが注目されよう。この結果、光源からより遠い空隙は、より近い空隙を外した光線を反射する。図１Ａ、１Ｂ及び１Ｃには３個の空隙が示されているが、本発明は、もっと少ない、又はもっと多い、ここでは空隙形状の反射性表面で作動するであろう。
【００３７】
ここで図２を参照して、電源２４を光源２０に接続すると、光源から代表的な光線２６Ａ、２６Ｂ及び２６Ｃが放射され、内部反射により、空隙２２Ａ、２２Ｂ、２２Ｃにより形成された各シート−空気界面から反射される。ビームは進行して、辺反射器１８により更に反射され、上面１４により内部へ反射される。光線が下面１６上の白色物質１７に入射すると、それらは拡散して、光線の幾分かは上面１４へと反射され、それを通り抜けて伝送され、内部へ反射されない。
【００３８】
効果を上げるように、光を増幅するため光輝性の（蛍光性の）被覆材料を用いて下面１６を被覆してもよい。もう一つの選択肢は、放射された光の増幅及び所望の色を達成するために、青又は紫外のＬＥＤ、及び希土類系の蛍光染料を用いてシート１２の下面１６を覆うことである。あるいは、上面を見るときに照明効果を増幅するために、白色材料１７が蛍光性又は光輝性の材料を内蔵してもよい。
【００３９】
図７Ａ及び７Ｂに描かれたもう一つの実施例では、白色材料１７を下面１６の所定の部分だけに準備し、それにより、上面１４を眺めたときに見える標識２１（ここでは単語「出口」）又は広告を産出させることができる。この実施例における上面は、微細溝被覆のような、分散性材料１９で処理されていて、少量の光を下面１６の非接触部分に反射する。これは、標識の、明るく点灯された単語「出口」を囲む部分に、対照的な低いレベルの光を提供する。描かれた実施例では、白色材料１７用の支持部材１３は、ほかは反射性であり、反射性材料の被覆体等を含む。けれども、この支持部材１３は、その代わりに、半透明の分散性材料として、シート１２の下面１６から見られるようにしてもよい。上面１４及び下面１６の両者をこのように配置して、二面標識の提供ができることが判るであろう。
【００４０】
次ぎに図３を参照すると、本発明の一実施例によるパネルを組み込んだ背面点灯ＬＣＤ組立品の展開図が示されている。図３は、ＧａＮ  ＬＥＤ  ２０Ａ−２０Ｈの形式の、２個の光源が、図示のように厚板の各隅に取付けられたパネルを描いている。空隙２２は、各ＬＥＤからの光を内部へ反射するために、シート１２の各辺面に沿って位置決めされている。シート１２に関する展開図で示されたＬＣＤフィルム２８は、シート１２の上面１４上に搭載されている。
【００４１】
ＬＥＤ  ２０Ａ−２０Ｈは、各々、それらの活性化用の電源２４に操作可能に接続されている。ＬＤＣシート２８は、例えばラップトップコンピュータ、携帯型テレビ又はビデオカメラで見られるようなビデオ制御器回路３０に、制御可能に接続されている。
【００４２】
使用時に、各ＬＥＤ  ２０Ａ−２０Ｈからの光線は、先に説明したように、空隙２２によって内部へ反射され、白色裏張り材料１７から上面１４の外へ分散され、そこからＬＣＤシート２８の透明部分を通って分散される。従って、ＬＣＤ表示シート２８は結果的に背面点灯され、上から容易に見ることができる。更に、図３の配置はフレネルレンズを使用していないので、ＬＣＤを通って伝送される光は、実質的には平行化されない。その結果、ＬＣＤシート２８は、シート１２への法線に対して大きな角度範囲にわたって見たときに、背面点灯されているように見える。
【００４３】
図３の配置は、ＧａＮ  ＬＥＤを８個含み、通常約０．６Ｗの電気エネルギーを消費する。これに対し、標準的なラップトップコンピュータのＬＣＤ表示部はほとんどこの１０倍の電力を消費する。
【００４４】
図４を参照すると、本発明の更なる実施例が示されており、光源３４からの光線を内部へ反射するように、浅いパラボラの部分のような形状の空隙３２Ａ〜３２Ｄが用いられている。パラボラ形状の反射表面は、内部に生成されたＬＥＤ起源の光ビームを分散させるために使用される。これは、表示器が物理的に小さい用途において特に有利である。
【００４５】
図５は、本発明の更に別の実施例を描いており、一列の光源３６Ａ〜３６Ｄが組み込まれている。ここで、シート１２はパネルの上表面から発する光の輝度に大きな変化があることが認識されよう。その場合には、周辺から離れたシートの体内に追加の光源を置くことができる。例えば、図５において、反射性の空隙は、図示の通り、上から見ると「Ｖ」形に近い。各「Ｖ」形の２個の半片は相互に約９０度の角度であり、かつ一列に並んだ光源からのビームと約１３５度である。（例えば、光源３６Ｄは空隙３８と一列になっている。）非常に大きいパネルでは、光源４０はパネル内部に置くことができる。光源４０は光源に対面する上パネル上の鏡面反射器によって覆われる。
【００４６】
本発明を、光学的に透明なシート又は厚板に関連させて説明してきたが、図６を参照すると、不定形の光学的に透明な基板を採用して、人目を引く標示物を産生することが可能である。この場合には、基板は、基板の本体１０５を通って光を内部へ反射させるために、多数の光源１０１及び空隙反射器を組み込むであろう。基板の表面は、その表面を通って外へ伝送される光を分散させるために、つや消しにするか、又は分散性に作られていてよい。
【００４７】
図２を参照すると、広告のような半透明の標識は、広告用の提示物を産生するために、厚板１２の上面に固定されていてよい。
【００４８】
更に、本発明の一実施例による装置には、着色された、又は多色で着色されたシート１２を組み込んでもよい。更なる色効果を産生するために、色が異なるＬＥＤを用いることも可能である。特に、それぞれ赤、緑及び青の三原色で構成されているＬＥＤである、ＲＧＢ  ＬＥＤを用いることができる。ひいては、各々が実際は一画素である多数の小さな表示器のマトリクスを作って、大きな表示器を作成することもできる。これにより、次いで看板の大きさのカラー表示器も作れるであろう。この型の表示器の利点は、画素の形状、円形ではなく角形であり、円の間の黒点による網目効果ではなく、連続的な変化を産生する。表示器の大きさによって、各画素として複数のＬＥＤを用いてよい。輝度が重要な場合に光を更に増幅するため、蛍光性の裏打ちも好ましい。ＬＥＤを使用すると、表示器を充電するために太陽電池パネルを使用する選択肢もある。
【００４９】
他の変形は、大きな広告体を、異なる区域は異なる色で照明することである。再度、これらの各要素は任意の大きさ及び形状に切断でき、かつ必要な数だけＬＥＤを使用でき、広告体の複数の区域を、時間と共に色を変え、点滅させ、又は単に異なる区域を異なる色で照明することを可能にする。
【００５０】
上記は、本発明の説明用の例としてのみ提示されており、これらに対する、当業者に明らかなような修飾及び変形は、ここに、以下の請求の範囲において述べられた発明の広い範囲及び周辺の内に収まるとみなされることは、いうまでもなく理解されるであろう。
【図面の簡単な説明】
【００５１】
本発明がより簡単に理解され、かつ実用的に有効にされるために、ここで本発明の好ましい実施例を図解した添付図面を参照する。
【図１Ａ】は、本発明の第一の実施例による背面表示装置の斜視図である。
【図１Ｂ】は、第一の実施例に係る装置の正立面図である。
【図２】は、使用中の図１の装置を描く。
【図３】は、本発明の第二の実施例による背面点灯液晶表示器の部分展開斜視図である。
【図４】は、本発明の別の実施例に係る背面表示装置の平面図である。
【図５】は、本発明の別の実施例に係る背面表示装置の平面図である。
【図６】は、本発明の別の実施例に係る表示装置を図解する。
【図７Ａ】は、本発明の更に別の実施例に係る出口標識の斜視図である。
【図７Ｂ】は、図７Ａの標識のＢ−Ｂにおける側立面断面図である。
【国際公開パンフレット】
2004534352.tif 000003
2004534352.tif 000004
2004534352.tif 000005
2004534352.tif 000006
2004534352.tif 000007
2004534352.tif 000008
2004534352.tif 000009
2004534352.tif 000010
2004534352.tif 000011
2004534352.tif 000012
2004534352.tif 000013
2004534352.tif 000014
2004534352.tif 000015
2004534352.tif 000016
2004534352.tif 000017
2004534352.tif 000018
2004534352.tif 000019
2004534352.tif 000020
2004534352.tif 000021
【手続補正書】
【提出日】平成14年12月30日(2002.12.30)
【手続補正１】
【補正対象書類名】明細書
【補正対象項目名】００３４
【補正方法】変更
【補正の内容】
【００３４】
光源２０に隣接する辺面から始まる、多数の直線的な空隙２２Ａ、２２Ｂ、２２Ｃがシート１２に作られている。空隙は、シート１２の主面１４及び１６沿って延びる反射性表面を提供する。隙間が空気で満たされているのが圧倒的に便利だが、シート１２より屈折率が低い物質で各隙間を満たすこともできる。各空隙の平面は、上面１４及び下面１６の両方に直角である。各空隙の面の法線は、光源２０からの光線との臨界角より小さい角度を作る。
あるいは、図１Ｃに示すように、光源２０に隣接する辺面から始まるシート１２に、多数の半円形又は円くなった空隙２３Ａ、２３Ｂ、２３Ｃが作られる。これらの空隙も、シートの主面１４、１６及び１２に沿って延びている反射性表面を提供する。上面と下面に垂直な空隙面を有することにより、光は空隙２３Ａ、２３Ｂ、２３Ｃで反射されて、基板１２を通る。このようにして、光は辺面１５から反射され、面１４又は１６を通って出ていく前に、照明を散乱させ配送する。
更に、光散乱を一層促進するように、光源をこれらの空隙内に取付けることができる。
【手続補正２】
【補正対象書類名】明細書
【補正対象項目名】００３６
【補正方法】変更
【補正の内容】
【００３６】
図１Ａ及び１Ｂに示した実施例において、各空隙は、光源に最も近い隣の空隙より、シート１２内に突き出していることが注目されよう。この結果、光源からより遠い空隙は、より近い空隙を外した光線を反射する。図１Ａ、１Ｂ及び１Ｃには３個の空隙が示されているが、本発明は、もっと少ない、又はもっと多い、ここでは空隙形状の反射性表面で作動するであろう。
更に、空隙２２は、特に光源が長い表示器については、光源２０をもっと多く含むように形成可能である。
【手続補正３】
【補正対象書類名】明細書
【補正対象項目名】００５１
【補正方法】変更
【補正の内容】
【００５１】
本発明がより簡単に理解され、かつ実用的に有効にされるために、ここで本発明の好ましい実施例を図解した添付図面を参照する。
【図１Ａ】は、本発明の第一の実施例による背面表示装置の斜視図である。
【図１Ｂ】は、第一の実施例に係る装置の正立面図である。
【図１Ｃ】は、図１Ｂの第一の実施例に係る装置の変形の正立面図である。
【図２】は、使用中の図１の装置を描く。
【図３】は、本発明の第二の実施例による背面点灯液晶表示器の部分展開斜視図である。
【図４】は、本発明の別の実施例に係る背面表示装置の平面図である。
【図５】は、本発明の別の実施例に係る背面表示装置の平面図である。
【図６】は、本発明の別の実施例に係る表示装置を図解する。
【図７Ａ】は、本発明の更に別の実施例に係る出口標識の斜視図である。
【図７Ｂ】は、図７Ａの標識のＢ−Ｂにおける側立面断面図である。


【手続補正４】
【補正対象書類名】図面
【補正対象項目名】図１Ａ
【補正方法】変更
【補正の内容】
【図１Ａ】
2004534352.tif 000022
【手続補正５】
【補正対象書類名】図面
【補正対象項目名】図１Ｂ
【補正方法】変更
【補正の内容】
【図１Ｂ】
2004534352.tif 000023
【手続補正６】
【補正対象書類名】図面
【補正対象項目名】図１Ｃ
【補正方法】追加
【補正の内容】
【図１Ｃ】
2004534352.tif 000024
【手続補正７】
【補正対象書類名】図面
【補正対象項目名】図２
【補正方法】変更
【補正の内容】
【図２】
2004534352.tif 000025
【手続補正８】
【補正対象書類名】図面
【補正対象項目名】図３
【補正方法】変更
【補正の内容】
【図３】
2004534352.tif 000026
【手続補正９】
【補正対象書類名】図面
【補正対象項目名】図４
【補正方法】変更
【補正の内容】
【図４】
2004534352.tif 000027
【手続補正１０】
【補正対象書類名】図面
【補正対象項目名】図５
【補正方法】変更
【補正の内容】
【図５】
2004534352.tif 000028
【手続補正１１】
【補正対象書類名】図面
【補正対象項目名】図６
【補正方法】変更
【補正の内容】
【図６】
2004534352.tif 000029
【手続補正１２】
【補正対象書類名】図面
【補正対象項目名】図７Ａ
【補正方法】変更
【補正の内容】
【図７Ａ】
2004534352.tif 000030
【手続補正１３】
【補正対象書類名】図面
【補正対象項目名】図７Ｂ
【補正方法】変更
【補正の内容】
【図７Ｂ】
2004534352.tif 000031
【国際調査報告】
2004534352.tif 000032
2004534352.tif 000033
2004534352.tif 000034